(57)【特許請求の範囲】
【請求項１】
少なくとも底部の一部を開放させた吊り戸棚内に設置される支持部材と、
吊り戸棚内に収まった上昇終了位置と吊り戸棚の開放箇所を通じて吊り戸棚の下方に突き出した下降終了位置との間に亘る昇降可能に支持部材に支持される可動フレームと、
この可動フレームに起立位置と水平位置との間に亘る回動可能に組み付けられた棚板体と、
この棚板体の起立位置にある状態を解除可能に保持する保持手段と、
この保持手段による保持の解除手段とを備え、
可動フレームの下降時には所定降下位置において解除手段によって保持手段による棚板体の保持が解除され棚板体の水平位置への回動が可能とされると共に、
棚板体を起立位置まで回動させて可動フレームを上昇させるときには保持手段による棚板体の保持が解除されないようになっており、
しかも、前記保持手段が、可動フレーム側に備えられて付勢により棚板体の被掛合部に掛合部を掛合されるラッチ体であると共に、
前記解除手段が、可動フレームに上下動可能に組み合わされると共に、可動フレームの下降時には所定降下位置において可動フレームの下降に連動した下降を停止しこの停止によりラッチ体を前記付勢に抗する向きに移動させ、
かつ、可動フレームの上昇時には所定上昇位置において可動フレームの上昇に連動した上昇を停止するがこの停止によってはラッチ体を前記付勢に抗する向きに移動させないように、ラッチ体に連係された従動体であることを特徴とする可動棚装置。
【請求項２】
下降終了位置にある可動フレームの上昇を、棚板体が起立位置に位置づけられない限り阻止する阻止手段を備えており、
この阻止手段が、支持部材の被掛合部への掛合部と、起立位置に位置づけられた棚板体への接触部とを備えると共に、この掛合部と接触部との間で可動フレームに軸支され、かつ、付勢により可動フレームの下降終了位置において掛合部を被掛合部に掛合させるロック体であることを特徴とする請求項１に記載の可動棚装置。
【発明の詳細な説明】
【技術分野】
【０００１】
この発明は、吊り戸棚の下方において利用される棚板体を、これを使用しないときは吊り戸棚内に収納できるようにした可動棚装置の改良に関する。
【背景技術】
【０００２】
吊り戸棚の底部の下方に備えられる棚を、一対のアームの自由端間に回動可能に組み合わせ、水平状態にあった棚を垂直に回動させた後、アームを水平に回動させることで、棚を使用しないときには吊り戸棚の底部に棚を沿わせるように折りたたみ可能としたものがある。（特許文献１参照）
【０００３】
また、可動フレームと共に昇降動作するガイドロッドの下端部に棚を水平に取り付け、棚を使用しないときにはガイドロッドを上昇させてこの棚を吊り戸棚の底部に近接位置づけさせるようにしたものがある。（特許文献２参照）
【特許文献１】特開２００５−５８４７１号公報
【特許文献２】特開２００７−２０６４８号公報
【発明の開示】
【発明が解決しようとする課題】
【０００４】
この発明が解決しようとする主たる問題点は、この種の棚装置において、棚を使用しないときにはこれを起立位置に位置づけて吊り戸棚内にコンパクトに収納可能としながら、棚を使用するときには吊り戸棚内からこれを降下させると共に棚の起立位置にある状態を解いてこれを水平位置に回動位置づけさせ、かかる棚を起立位置に再び回動位置づけこれを上昇させて吊り戸棚内に再度収納するときにはこの棚の起立位置にある状態を保持できるようにする点にある。
【課題を解決するための手段】
【０００５】
前記課題を達成するために、この発明にあっては、可動棚装置を、以下の（１）〜（１０）の構成を備えたものとした。
（１）少なくとも底部の一部を開放させた吊り戸棚内に設置される支持部材と、
（２）吊り戸棚内に収まった上昇終了位置と吊り戸棚の開放箇所を通じて吊り戸棚の下方に突き出した下降終了位置との間に亘る昇降可能に支持部材に支持される可動フレームと、
（３）この可動フレームに起立位置と水平位置との間に亘る回動可能に組み付けられた棚板体と、
（４）この棚板体の起立位置にある状態を解除可能に保持する保持手段と、
（５）この保持手段による保持の解除手段とを備え、
（６）可動フレームの下降時には所定降下位置において解除手段によって保持手段による棚板体の保持が解除され棚板体の水平位置への回動が可能とされると共に、
（７）棚板体を起立位置まで回動させて可動フレームを上昇させるときには保持手段による棚板体の保持が解除されないようになっており、
（８）しかも、前記保持手段が、可動フレーム側に備えられて付勢により棚板体の被掛合部に掛合部を掛合されるラッチ体であると共に、
（９）前記解除手段が、可動フレームに上下動可能に組み合わされると共に、可動フレームの下降時には所定降下位置において可動フレームの下降に連動した下降を停止しこの停止によりラッチ体を前記付勢に抗する向きに移動させ、
（１０）かつ、可動フレームの上昇時には所定上昇位置において可動フレームの上昇に連動した上昇を停止するがこの停止によってはラッチ体を前記付勢に抗する向きに移動させないように、ラッチ体に連係された従動体である。
【０００６】
可動フレームの下降により棚板体は、吊り戸棚内から吊り戸棚の底部の下方に移動されると共に水平位置に向けて回動され、可動フレームの下降終了位置において吊り戸棚の底部の下方に水平に支持される。このように水平位置にある棚板体は起立位置に回動操作することで再び保持手段により起立位置に位置づけられる。この後、可動フレームを上昇させるときには保持手段による棚板体の保持は解除されないことから、可動フレームと一緒に棚板体を吊り戸棚内に納め直すことができる。すなわち、かかる可動棚装置にあっては、吊り戸棚の下方において利用される棚板体を、これを使用しないときは吊り戸棚内にできるだけコンパクトに収納させることができる。また、可動フレームと連動した下降又は上昇を途中で停止するように構成された従動体と前記ラッチ体とを、前記のように連係させることで、可動フレームの下降時には所定下降位置から棚板体を水平位置に回動させて可動フレームの下降終了位置において吊り戸棚の底部の下方に水平に支持させ、一方、水平位置にある棚板体を再び保持手段により起立位置に位置づけた状態での可動フレームを上昇時には棚板体の起立位置にある状態を解除させないようにすることができる。
【０００７】
また、前記下降終了位置にある可動フレームの上昇を、棚板体が起立位置に位置づけられない限り阻止する阻止手段を備えさせると共に、この阻止手段を、支持部材の被掛合部への掛合部と、起立位置に位置づけられた棚板体への接触部とを備えると共に、この掛合部と接触部との間で可動フレームに軸支され、かつ、付勢により可動フレームの下降終了位置において掛合部を被掛合部に掛合させるロック体により構成させておくこともある。
【０００８】
このようにした場合、棚板体を使用しているときは、可動フレームを下降終了位置に安定的に位置づけさせることができる。また、下降終了位置に可動フレームがある状態から棚板体を起立位置に回動させて保持手段によりこれを保持させるまでは、ロック体の掛合部によって可動フレームの上昇を確実に阻止させることができると共に、棚板体を起立位置に位置づけると同時にロック体の掛合部を付勢に抗して被掛合部に掛合しない位置に移動させてこの状態になった後は可動フレームの上昇を許容させることができる。
【発明の効果】
【０００９】
この発明にかかる可動棚装置によれば、吊り戸棚の下方において棚板体を使用しないときにはこれを起立位置に位置づけて吊り戸棚内にコンパクトに収納可能としながら、棚板体を使用するときには吊り戸棚内からこれを降下させると共に棚板体の起立位置にある状態を解いてこれを水平位置に回動位置づけさせ、さらに、かかる棚板体を起立位置に再び回動位置づけこれを上昇させて吊り戸棚内に再度収納するときにはこの棚板体の起立位置にある状態を保持できる。
【発明を実施するための最良の形態】
【００１０】
以下、図１〜図１９に基づいて、この発明を実施するための最良の形態について説明する。
【００１１】
なお、ここで図１は吊り戸棚１内に収納されている棚板体４が吊り戸棚１の下方に移動されて棚として利用可能になるまでの過程を示しており、同図（ａ）、（ｂ）、（ｃ）、（ｄ）の順で動作が進行する。また、図２は吊り戸棚１の下方において棚として利用可能になっている棚板体４が上方に移動されて再び吊り戸棚１内に納め直されるまでの過程を示しており、同図（ａ）、（ｂ）、（ｃ）、（ｄ）の順で動作が進行する。
【００１２】
また、図３は可動フレーム３が上昇終了位置にある、つまり、棚板体４を吊り戸棚１内に収納した状態にある可動棚装置を正面から見て示している。また、図７はこの図３の状態を図３の略中央位置で縦断面にして示している。図８は図７の可動フレーム３が下降終了位置まで移動した様子を示している。
【００１３】
図４〜図６は、図３の状態から可動フレーム３が下降終了位置まで移動する過程を理解しやすいように示しており、図４、図５、図６の順で動作が進行する。これらの各図においては図３の左側のみを表すと共に滑車体２２と索条２４の記載を省略している。
【００１４】
図９は可動フレーム３を構成する上下枠構成体３０ａに対する解除手段７を構成する従動体７０の組み合わせ状態を理解しやすいように上下枠構成体３０ａの要部を破断して示しており、図１０はかかる従動体７０を、図１１はこの従動体７０とラッチケース３２との組み合わせ状態を、図１２は従動体７０とラッチ体６０との連係箇所の様子を理解しやすいように両者を分離して示している。
【００１５】
図１３および図１４は、かかる従動体７０によるラッチ体６０の動作の制御の様子を理解しやすいように、かかる従動体７０の動作ピン７３とラッチ体６０と棚板体４を構成するアーム４０の要部のみを表して示しており、可動フレーム３の下降時には図１３（ａ）、（ｂ）、（ｃ）の順で棚板体４のラッチ体６０による保持が解かれ、可動フレーム３の上昇時には図１４（ａ）、（ｂ）、（ｃ）の順で従動体７０の動作ピン７３は相対的に移動されるがラッチ体６０に保持された棚板体４のこの保持は維持され続ける。
【００１６】
また、図１５と図１７は棚板体４が起立位置にある状態の保持を解いたときの阻止手段の様子を、図１６と図１８は棚板体４を起立位置に位置づけさせたときの阻止手段の様子を、それぞれ示している。
【００１７】
また、図１９は可動フレーム３の上下枠構成体３０ａと棚板体４との組み合わせ状態を理解しやすいようにこれらの要部を表して示している。
【００１８】
この実施の形態にかかる可動棚装置は、吊り戸棚１の下方において利用される棚板体４を、これを使用しないときは吊り戸棚１内にコンパクトに収納できるようにしたものである。典型的には、かかる棚板体４は、システムキッチンを構成する吊り戸棚１に備えられて用いられる場合には、この吊り戸棚１の底部１ａの下方であってキッチンカウンターの上方において利用される。
【００１９】
かかる可動棚装置は、支持部材２と、可動フレーム３と、棚板体４とを備えてなる。
【００２０】
支持部材２は、少なくとも底部１ａの一部を開放させた吊り戸棚１内に設置される。（図７）図示の例では、吊り戸棚１の背板１ｂの前方に備えられた仕切り板１ｃによって、吊り戸棚１内の空間がこの仕切り板１ｃの前方に位置される収納室１ｄと、この仕切り板１ｃの後方に位置される前後に狭く左右に広く吊り戸棚１の底部１ａにおいて開放された可動棚装置の設置空間１ｅとに区分されており、この設置空間１ｅ内に支持部材２を備え付けさせている。
【００２１】
可動フレーム３は、略方形の枠状体を主体として構成されている。そして、かかる可動フレーム３は、吊り戸棚１の設置空間１ｅ内に収まった上昇終了位置（図７）と吊り戸棚１の設置空間１ｅの開放箇所を通じて吊り戸棚１の下方に突き出した下降終了位置（図８）との間に亘る昇降可能に支持部材２に支持されている。
【００２２】
図示の例では、支持部材２は、中央レール２０と、左右ガイド部２１、２１と、滑車体２２とを備えている。中央レール２０に上下動可能にカウンターウエイト２３が支持されている。可動フレーム３の上部の左右には索条２４の接続部３１が備えられており、設置空間１ｅの上部に固定された滑車体２２を介してこの接続部３１とカウンターウエイト２３とを連絡する索条２４によって可動フレーム３は支持部材２に支持されている。
【００２３】
図示の例では、可動フレーム３側の重量をカウンターウエイト２３の重量よりも重くしており、可動フレーム３の上昇終了位置にある状態を解除可能に維持するロック手段５のロックを解除すると、可動フレーム３は下降終了位置まで強制的に下降される。この下降の過程において、後述するように棚板体４が水平位置に回動され、下降終了位置において可動フレーム３の下端に棚板体４が水平に支持される。水平位置にある棚板体４を起立位置に回動させた後、可動フレーム３を上昇終了位置まで持ち上げ操作することにより、可動フレーム３は棚板体４と一緒に設置空間１ｅ内に再び収納される。前記カウンターウエイト２３によってこの持ち上げ操作力は軽減されている。
【００２４】
ロック手段５は、吊り戸棚１の収納室１ｄを画成する底板１ｇに備えられたスライド部材５０と、このスライド部材５０の掛合先端５０ａを設置空間１ｅの開放箇所に入り込ませる位置にこのスライド部材５０を付勢するバネ５１と、可動フレーム３の下部に設けられたこのスライド部材５０の掛合先端５０ａへの被掛合部５２とからなる。スライド部材５０は前記バネ５１の付勢に抗する向きに前方に移動操作できるようになっており、この移動操作によりスライド部材５０の掛合先端５０ａと被掛合部５２との掛合が解かれて可動フレーム３が下降され、下降された可動フレーム３を前記のように上昇終了位置まで持ち上げ操作すると再びスライド部材５０の掛合先端５０ａと被掛合部５２とが掛合されるようになっている。（図７、図８）
【００２５】
棚板体４は、可動フレーム３の枠内において、この可動フレーム３に起立位置と水平位置との間に亘る回動可能に組み付けられている。
【００２６】
図示の例では、棚板体４は、左右一対のアーム４０の間に板体４１を架設させると共に、左側のアーム４０の一端部４０ａを可動フレーム３の左側の上下枠構成体３０ａの下端部に左右方向に軸線を沿わせた軸体４２をもって組み付け、かつ、右側のアーム４０の一端部４０ａを可動フレーム３の右側の上下枠構成体３０ａの下端部に左右方向に軸線を沿わせた軸体４２をもって組み付けることにより、可動フレーム３に組み合わされている。棚板体４の重心はアーム４０の他端部４０ｂ側に位置されるようになっており、棚板体４がこの他端部４０ｂを上方に位置させた起立位置にある状態を解除可能に保持する後述する保持手段のこの保持を解除すると、棚板体４は前記軸体４２の直下位置にあるアーム４０の一端部４０ａの下面を可動フレーム３の下側に位置される左右枠構成体３０ｂの上面に接しさせる水平位置まで強制的に回動される。（図８）図示の例では、かかる軸体４２として、ローター体４２ｂとステーター体４２ｄとからなり、ローター体４２ｂの回転にステーター体４２ｄ内に封入した粘性流体の抵抗を付与するロータリーダンパー４２ａを用いている。（図１９）このロータリーダンパー４２ａのローター体４２ｂの外端４２ｃを前記アーム４０の一端部４０ａに固定させ、ステーター体４２ｄを上下枠構成体３０ａの下端部に固定させている。これにより、棚板体４の水平位置への強制的な回動がゆっくりとなされるようになっている。
【００２７】
そして、この実施の形態にかかる可動棚装置は、棚板体４の起立位置にある状態を解除可能に保持する保持手段６と、
この保持手段６による保持の解除手段７とを備えており、
可動フレーム３の下降時には所定降下位置（図１（ｂ）の位置）において解除手段７によって保持手段６による棚板体４の保持が解除され棚板体４の水平位置への回動が可能とされると共に、
棚板体４を起立位置まで回動させて可動フレーム３を上昇させるときには保持手段６による棚板体４の保持が解除されないようになっている。（図２（ｂ）〜（ｄ））
【００２８】
可動フレーム３の下降により棚板体４は、吊り戸棚１内から吊り戸棚１の底部１ａの下方に移動されると共に水平位置に向けて回動され、可動フレーム３の下降終了位置において吊り戸棚１の底部１ａの下方に水平に支持される。（図１（ａ）〜（ｄ））このように水平位置にある棚板体４は起立位置に回動操作することで再び保持手段６により起立位置に位置づけられる。（図２（ａ））この後、可動フレーム３を上昇させるときには保持手段６による棚板体４の保持は解除されないことから、可動フレーム３と一緒に棚板体４を吊り戸棚１内に納め直すことができる。（図２（ｂ）〜（ｄ））すなわち、この実施の形態にかかる可動棚装置にあっては、吊り戸棚１の下方において利用される棚板体４を、これを使用しないときは吊り戸棚１内にできるだけコンパクトに収納させることができる。
【００２９】
保持手段６による棚板体４の保持の解除は、起立位置にある棚板体４の上端が吊り戸棚１の底部１ａの下方に抜け出した後になされる。この解除のタイミングと前記軸体４２となるロータリーダンパー４２ａの制動力とを調整することで、可動フレーム３が下降終了位置に至ったタイミングで棚板体４の水平位置に向けた回動が終了するようにすることができる。（図１）
【００３０】
この実施の形態にあっては、保持手段６を、可動フレーム３側に備えられて付勢により棚板体４の被掛合部４０ｃに掛合部６０ａを掛合されるラッチ体６０としている。
【００３１】
図示の例では、ラッチ体６０は、左右の上下枠構成体３０ａ、３０ａにそれぞれ内蔵されている。上下枠構成体３０ａはそれぞれ各筒状をなすと共に、その上下方向略中程の位置に、ラッチ体６０を左右方向に移動可能に納めている。ラッチ体６０は、上下枠構成体３０ａに内蔵固定されるラッチケース３２に左右方向に移動可能に納められていると共に、可動フレーム３の内側に向けられた側に掛合部６０ａとしてのピン６０ｂを備えている。ラッチケース３２にはこのピン６０ｂを上下枠構成体３０ａの内面に形成された貫通孔３３を通じて可動フレーム３の内方に突き出させるバネ３２ａが内蔵されている。そして図示の例では、起立位置にある棚板体４のアーム４０の上端部（他端部４０ｂ）に形成された被掛合部４０ｃとしての孔４０ｄに前記バネ３２ａの付勢によりラッチ体６０のピン６０ｂが入り込み掛合するようになっている。また、水平位置にある棚板体４を起立位置に回動操作すると、ピン６０ｂがアーム４０の孔４０ｄの手前の外面に接してバネ３２ａの付勢に抗してラッチ体６０が一旦外側に移動してピン６０ｂが孔４０ｄに入り込み可能な位置までの棚板体４の回動が許容され、この後のバネ３２ａの付勢によるラッチ体６０の移動によりピン６０ｂが孔４０ｄに入り込み掛合されるようになっている。
【００３２】
一方、この実施の形態にあっては、解除手段７を、可動フレーム３に上下動可能に組み合わされると共に、可動フレーム３の下降時には所定降下位置において可動フレーム３の下降に連動した下降を停止しこの停止によりラッチ体６０を前記付勢に抗する向きに移動させ、
かつ、可動フレーム３の上昇時には所定上昇位置において可動フレーム３の上昇に連動した上昇を停止するがこの停止によってはラッチ体６０を前記付勢に抗する向きに移動させないように、ラッチ体６０に連係された従動体７０としている。
【００３３】
図示の例では、かかる従動体７０は、上端に頭部７１を備えた上下方向に長いロッド状をなすように構成されている。そして、左右の上下枠構成体３０ａにそれぞれ、頭部７１をこの上下枠構成体３０ａの上端から突き出させた状態で上下動可能に内蔵されている。従動体７０は上下枠構成体３０ａ内にあって前記ラッチケース３２に上下方向にスライド移動可能に組み合わされている。従動体７０には上下方向に沿ったラック７２が形成されており、ラッチケース３２に備えられたピニオン３２ｂにこのラック７２をかみ合わせている。図示の例ではかかるピニオン３２ｂはラッチケース３２にステーター体３２ｄを固定させたロータリーダンパー３２ｃの図示しないローター体を回転中心としており、このロータリーダンパー３２ｃの制動力が所定降下位置から下降終了位置までの間で可動フレーム３に作用されるようになっている。
【００３４】
従動体７０は、可動フレーム３の所定降下位置までは可動フレーム３と連動して下降する。（図４から図５）可動フレーム３が所定降下位置に至ると、支持部材２のガイド部２１に形成された下側リミット突片２１ａに頭部７１が上方から引っかかり可動フレーム３に連動した従動体７０の下降は停止され、従動体７０を上下枠構成体３０ａ内から抜け出させながら可動フレーム３のみが下降される。（図６）
【００３５】
一方、下降終了位置にある可動フレーム３を前記のように持ち上げ操作すると、従動体７０は、可動フレーム３の所定上昇位置までは可動フレーム３と連動して上昇する。可動フレーム３が所定上昇位置に至ると、支持部材２のガイド部２１に形成された上側リミット突片２１ｂに頭部７１が下方から突き当たり可動フレーム３に連動した従動体７０の上昇は停止され、従動体７０を上下枠構成体３０ａ内から入り込ませながら可動フレーム３のみが上昇される。
【００３６】
従動体７０の下端側には、図示しない付勢手段の付勢に抗した引き込み可能にこの従動体７０の移動方向に直交する向きに突き出した動作ピン７３が備えられている。
【００３７】
一方、ラッチ体６０は、その後側に向けられた側面に、この動作ピン７３に対するカム部６１を備えている。カム部６１は、下降時用カム部６１ａと、上昇時用カム部６１ｄとから構成されている。
【００３８】
下降時用カム部６１ａは、溝下端６１ｂと溝上端６１ｃを共にラッチ体６０の外方に開放させて上下方向に延びる溝状をなす。（図１２）下降時用カム部６１ａの溝下端６１ｂは、動作ピン７３の配設位置を通る仮想の垂直線ｘ上に位置されているが、溝上端６１ｃはこれよりも可動フレーム３の内方側に位置されており、下降時用カム部６１ａはその溝下端６１ｂから上方に向かうに連れて次第に可動フレーム３の内方側に近づく向きに傾斜し傾斜終了位置から溝上端６１ｃとの間では前記仮想の垂直線ｘの内方においてこれと略平行に延びている。
【００３９】
上昇時用カム部６１ｄは、ラッチ体６０の上方に溝上端を開放させて前記仮想の垂直線ｘに沿って延び下方に向かうに連れて次第に浅くなって溝下端をラッチ体６０の外面６２と同面上に位置させた短い溝状をなす。
【００４０】
可動フレーム３が上昇終了位置にあるときは動作ピン７３はラッチ体６０の下方に位置される。この状態から可動フレーム３が下降され所定降下位置において可動フレーム３に連動した従動体７０の下降は停止されると、動作ピン７３は下降時用カム部６１ａに入り込みラッチ体６０は前記バネ３２ａの付勢に抗する向きに移動され、棚板体４の被掛合部４０ｃとラッチ体６０の掛合部６０ａとの掛合が解かれ棚板体４は水平位置に向けて回動を開始する。動作ピン７３は可動フレーム３の下降の過程で下降時用カム部６１ａの溝上端６１ｃから上方に抜け出し、この抜け出し後ラッチ体６０は上下枠構成体３０ａの内面に形成された貫通孔３３を通じて可動フレーム３の内方にピンを突き出させた棚板体４の被掛合部４０ｃとの掛合可能な状態に復帰される。（図１３（ａ）〜（ｃ））
【００４１】
一方、可動フレーム３が下降終了位置にあるときは動作ピン７３はラッチ体６０の上方に位置される。この状態から棚板体４を起立位置に回動操作してその被掛合部４０ｃにラッチ体６０の掛合部６０ａを掛合させて可動フレーム３を上昇させると、所定上昇位置において可動フレーム３に連動した従動体７０の上昇は停止されるが、動作ピン７３は上昇時用カム部６１ｄに入り込むことからラッチ体６０は前記バネ３２ａの付勢に抗する向きに移動されず棚板体４の起立位置にある状態は維持される。動作ピン７３は従動体７０内に付勢に抗して引き込み可能になっていることから、可動フレーム３の上昇によりラッチ体６０を乗り越え、上昇終了位置において再びラッチ体６０の下方に位置される。（図１４（ａ）〜（ｃ））
【００４２】
すなわち、この実施の形態にあっては、可動フレーム３と連動した下降又は上昇を途中で停止するように構成された従動体７０と前記ラッチ体６０とを、このように連係させることで、可動フレーム３の下降時には所定下降位置から棚板体４を水平位置に回動させて可動フレーム３の下降終了位置において吊り戸棚１の底部１ａの下方に水平に支持させ、一方、水平位置にある棚板体４を再び保持手段６により起立位置に位置づけた状態での可動フレーム３を上昇時には棚板体４の起立位置にある状態を解除させないようにしている。
【００４３】
また、この実施の形態にあっては、下降終了位置にある可動フレーム３の上昇を、棚板体４が起立位置に位置づけられない限り阻止する阻止手段８を備えている。
【００４４】
これにより、棚板体４を使用しているときは、可動フレーム３を下降終了位置に安定的に位置づけさせることができる。
【００４５】
この実施の形態にあっては、かかる阻止手段８を、支持部材２の被掛合部２５への掛合部８１と、起立位置に位置づけられた棚板体４への接触部８２とを備えると共に、この掛合部８１と接触部８２との間で可動フレーム３に軸支され、かつ、付勢により可動フレーム３の下降終了位置において掛合部８１を被掛合部２５に掛合させるロック体８０としている。
【００４６】
ロック体８０は、左右の上下枠構成体３０ａ、３０ａにおいてそれぞれ、その上部側の内側に備えられた上下方向に長いケーシング３４内に納められている。ケーシング３４の下端は起立位置において棚板体４のアーム４０が前方から突き当たる規制部３４ａとなっている。ロック体８０はその上下方向略中程の位置においてケーシング３４に左右方向に沿った軸８３によって回動可能に組み付けられると共に、ケーシング３４の上部の背面側に形成された窓孔３４ｂからその上端に形成させた掛合部８１を突き出させ、かつ、ケーシング３４の規制部３４ａに形成された孔３４ｃからその下端に形成させた接触部８２を突き出させるようになっている。また、ロック体８０はケーシング３４に内蔵されたバネ８４により、規制部３４ａに棚板体４のアーム４０が接する起立位置に棚板体４が位置づけられてその接触部８２が押し込まれているときは掛合部８１をケーシング３４内に引き込ませるが、（図１８）規制部３４ａに棚板体４のアーム４０が接していないときは前記バネ８４の付勢により接触部８２と掛合部８１とを共にケーシング３４から突き出させるようになっている。（図１７）そして、図示の例では、可動フレーム３が下降終了位置にあって棚板体４が水平位置にあるときケーシング３４から突き出されている掛合部８１の上方に支持部材２のガイド部２１の下端に形成された被掛合部２５としての阻止片２５ａが位置されるようになっている。
【００４７】
これにより、この実施の形態にあっては、下降終了位置に可動フレーム３がある状態から棚板体４を起立位置に回動させて保持手段６によりこれを保持させるまでは、ロック体８０の掛合部８１によって可動フレーム３の上昇を確実に阻止させることができると共に、棚板体４を起立位置に位置づけると同時にロック体８０の掛合部８１を付勢に抗して被掛合部に掛合しない位置に移動させてこの状態になった後は可動フレーム３の上昇を許容させることができる。
【図面の簡単な説明】
【００４８】
【図１】可動棚装置の棚板体４の展開過程を示した構成図
【図２】可動棚装置の棚板体４の収納過程を示した構成図
【図３】可動棚装置の正面構成図
【図４】同要部正面構成図
【図５】同要部正面構成図
【図６】同要部正面構成図
【図７】同断面構成図
【図８】同断面構成図
【図９】上下枠構成体３０ａの要部破断斜視構成図
【図１０】従動体７０の斜視構成図
【図１１】ラッチケース３２の要部破断斜視構成図
【図１２】従動体７０とラッチ体６０との分離斜視構成図
【図１３】ラッチ体６０の動作説明図
【図１４】ラッチ体６０の動作説明図
【図１５】可動フレーム３の要部側面構成図（可動フレーム３の内側から見た図／軸体４２省略）
【図１６】可動フレーム３の要部側面構成図（可動フレーム３の内側から見た図／軸体４２省略）
【図１７】阻止手段８の内部構造を示した側面構成図（ケーシング３４破断）
【図１８】阻止手段８の内部構造を示した側面構成図（ケーシング３４破断）
【図１９】可動フレーム３の要部斜視構成図
【符号の説明】
【００４９】
１  吊り戸棚
１ａ  底部
２  支持部材
３  可動フレーム
４  棚板体
６  保持手段
７  解除手段
【図１】
0005036529.tif 000002
【図２】
0005036529.tif 000003
【図３】
0005036529.tif 000004
【図４】
0005036529.tif 000005
【図５】
0005036529.tif 000006
【図６】
0005036529.tif 000007
【図７】
0005036529.tif 000008
【図８】
0005036529.tif 000009
【図９】
0005036529.tif 000010
【図１０】
0005036529.tif 000011
【図１１】
0005036529.tif 000012
【図１２】
0005036529.tif 000013
【図１３】
0005036529.tif 000014
【図１４】
0005036529.tif 000015
【図１５】
0005036529.tif 000016
【図１６】
0005036529.tif 000017
【図１７】
0005036529.tif 000018
【図１８】
0005036529.tif 000019
【図１９】
0005036529.tif 000020